(57)【要約】【課題】犬を散歩させる時に犬の首及び胴に巻いて固定し、胴輪と分離したリードを購入して取り付けることができかつこのリードを取付け基端から一定長さを立ち上がり状態に指示できるリード保持具付き胴輪を提供すること。【解決手段】リード保持具付き１００は、背当部１を犬の背部に当てがい前側バンド部２と後側バンド部３とを首と胴に巻いて背当部１を固定する胴輪本体を有し、背当部１には、前端中央にリードを接続するための輪部４を有し、輪部４よりも後方位置にリード保持具５を備え、リード保持具５は、背当部１に固定された基板部５１と、ばね用線材からなり下端を基板に固定されてコイル部分５２ａを有して立ち上がりさらに立ち上がる直線部分５２ｂを有する支柱部５２と、支柱部５２に上端に形成されリードＲの立ち上がり基端から一定長さの部位を保持する保持部５３を有してなる。【選択図】図１
2014050355.tif 000002
【特許請求の範囲】
【請求項１】
犬の後頭部より下がった部位から少なくとも両肩部間より後方に延びた背部に当てがう背当部と、
前記背当部の前側両端より延設され犬の首を巻いて固定する前側バンド部と、
前記背当部の後側両端より延設され犬の胴を巻いて固定する後側バンド部と、からなる胴輪本体を備え、
前記背当部には、前端中央にリードを接続するための輪部を有し前記輪部よりも後方位置に該輪部に接続するリードの立ち上がり基端から一定長さの部位を保持するリード保持具を備え、
前記リード保持具は、前記背当部に固定された基板部と、下端を前記基板部に固定されて立ち上がる直線部分を有する支柱部と、前記支柱部に上端に形成され前記リードの立ち上がり基端から一定長さの部位を保持する保持部を有してなることを特徴とするリード保持具付き胴輪。
【請求項２】
前記支柱部は、下端に弾性部を有する、請求項１に記載の胴輪。
【請求項３】
前記支柱部、前記保持部、前記基板部又は前記背当部のいずれかに備えられたＬＥＤ発光灯と、前記背当部又は前記基板部に備えた電池を収容する電池ボックスと、前記支柱部に抱持され前記ＬＥＤ発光灯と前記蓄電池とを接続する給電線とを有してなる夜間照明手段を、さらに備えた請求項１または２に記載の胴輪。
【発明の詳細な説明】
【技術分野】
【０００１】
本発明は、犬を散歩させる時に、犬の首及び胴に巻いて固定し、ペット用リードを保持するリード保持具付き胴輪に関する。
【背景技術】
【０００２】
特許文献１には、犬を散歩させる時に取り付ける胴輪付きリードが開示されている。この胴輪付きリードは、四枝状の主要布と、下端に四股状の補助紐を備えたリード紐と、を有し、前記主要布でペットの胸部を覆うと共に両前足を挟んで両肩部及び両体側部を覆い、前記四股状の補助紐で前記主要布の四枝部を結束する。補助紐より後ろ位置に備えたサイズ調整具を動かすことにより、脱着及び胴輪部分の大きさを調整可能であるので、ペットを柔らかく包み、ペットへの脱着が容易である。
【０００３】
しかし、前記胴輪付きリード及び従来の他のペットリードは、垂れると、ペット用リードが地面に着いて汚れ、またペット用リードが犬や人の足に絡まることがある。
【０００４】
そこで、このような問題点を解消し得るペット用リードが特許文献２に開示されている。特許文献２に開示されたペット用リードは、胴輪と一体化した構成であり、犬の背中から一定の長さ上後方に立ち上がる構成である。胴輪の一部とリードの立ち上がり部分はシリコン素材や針金入りの紐等で作られている。
【先行技術文献】
【特許文献】
【０００５】
【特許文献１】特開２００９−２３２８３７号公報
【特許文献２】特開２００９−２１９４７３号公報
【発明の概要】
【発明が解決しようとする課題】
【０００６】
しかしながら、特許文献２に記載されたペット用リードによれば、犬の背中から一定の長さ上後方に立ち上がる状態を維持できず、リードが胴輪との接続部より倒れてしまい、また胴輪と分離したリードを別途購入したような場合には取り付けることができない。
【０００７】
本発明は、上述した点に鑑み案出されたもので、犬を散歩させる時に犬の首及び胴に巻いて固定し、胴輪と分離したリードを購入して取り付けることができかつこのリードを取付け基端から一定長さを立ち上がり状態に支持できるリード保持具付き胴輪を提供することを目的としている。
【課題を解決するための手段】
【０００８】
上記目的を達成するために、本発明の第１の態様のリード保持具付き胴輪は、犬の後頭部より下がった部位から少なくとも両肩部間より後方に延びた背部に当てがう背当部と、前記背当部の前側両端より延設され犬の首を巻いて固定する前側バンド部と、前記背当部の後側両端より延設され犬の胴を巻いて固定する後側バンド部と、を有し、前記背当部には、前端中央にリードを接続するための輪部を有し、前記輪部よりも後方位置に該輪部に接続するリードの立ち上がり基端から一定長さの部位を保持するリード保持具を備え、前記リード保持具は、前記背当部に固定された基板部と、下端を前記基板に固定されて立ち上がる直線部分を有する支柱部と、前記支柱部に上端に形成され前記リードの立ち上がり基端から一定長さの部位を保持する保持部を有してなることを特徴とする。前記支柱部は、下端に弾性部を有してもよい。
【０００９】
第２の態様は、前記支柱部、前記保持部、前記基板部又は前記背当部のいずれかより備えられたＬＥＤ発光灯と、前記背当部又は前記基板部に備えた電池を収容する電池ボックスと、前記支柱部に抱持され前記ＬＥＤ発光灯と前記蓄電池とを接続する給電線とを有してなる夜間照明手段を、さらに備えた構成である。
【発明の効果】
【００１０】
本発明によれば、犬を散歩させる時に犬の首及び胴に巻いて固定し、胴輪と分離したリードを購入して取り付けることができかつこのリードを取付け基端から一定長さを立ち上がり状態に支持できるリード保持具付き胴輪を提供することができる。
【図面の簡単な説明】
【００１１】
【図１】本発明の実施形態に係るリード保持具付き胴輪の使用状態を示す図である。
【発明を実施するための形態】
【００１２】
以下、本発明の実施形態に係るリード保持具付き胴輪について図面を参照して説明する。
図１は、犬に固定されリードと接続されたリード保持具付き胴輪を示す。このリード保持具付き胴輪１００は、背当部１と前側バンド部２と後側バンド部３とが一体に形成されてなる胴輪本体を備え、背当部１には、リード保持具５を備えている。リードＲはリード保持具付き胴輪１０と別途に購入してリード保持具付き胴輪１０に接続使用できる。
【００１３】
背当部１は、犬の後頭部より下がった部位から少なくとも両肩部間より後方に延びた背部に当てがう。背当部１は、リード保持具５を安定して支持するために、例えば幅が３０ｍｍで背方向に１００ｍｍの大きさであれば足り、屈曲し難いある程度の剛性を有する。
【００１４】
前側バンド部２及び後側バンド部３は、例えば、背当部１の前側両端又は後側両端より延設された一対の帯状部を有し、さらに一対の帯状部の先端に備えたボタン、ファスナー、バンド金具等の連結具を有してなり、犬の首の前側でまたは両前足の後方際の胴部下側で合わされ、体面に柔らかくかつしっかり密着した状態に固定し得る。
【００１５】
背当部１には、前端中央にリードＲを接続するための輪部４を有し、輪部４よりも後方位置に輪部４に接続するリードＲの立ち上がり基端から一定長さの部位を保持するリード保持具５を備えている。
【００１６】
リード保持具５は、背当部１にリベット、ねじとナットの止着具、あるいは嵌め込み構造により固定された基板部５１と、ばね用線材からなり下端に基板部５１に固定された弾性部としてのコイル部分５２ａとこれから立ち上がる直線部分５２ｂとを有する支柱部５２と、支柱部５２に上端に形成されリードＲの立ち上がり基端から一定長さの部位を保持する保持部５３を有してなる。保持部５３は、リードＲに対して係止し得られれば足りる。なお、本発明において、基板部５１とは、背当部１に密着して取り付けられ支柱部５２を安定して立ち上げ状態に支持する部材であり、支柱部５２のコイル部の最初の一巻きが大きく形成されて基板部５１に固定される場合も含むものである。
【００１７】
従って、リード保持具付き胴輪１００は、犬を散歩させる時に背当部１を犬の背部に当てがうと共に前側バンド部２及び後側バンド部３を犬の首及び胴に巻いて固定すると、背当部１を犬の背部にしっかり固定できる。リード保持具５は、背当部１を介して犬の背部より上方にしっかりと安定して立ち上がる。リードＲの先端の係留部ｒを開閉型輪部４に係止すると共にリードＲの中途を支柱部５２の上端の保持部５３に係合することにより、リード保持具５でリードＲの取付け基端から一定長さを立ち上がり状態に保持できる。これによって、犬を散歩させる時にリードが地面に着いて汚れてしまうことがなく、またペット用リードが犬や人の足に絡まることがなくなる。
【００１８】
リード保持具付き胴輪１００は、さらに夜間照明手段６を備えている。夜間照明手段６は、支柱部５２の上端に備えたＬＥＤ発光灯６１と、基板部５１上に電池ボックス６２を備えてこれに交換可能に収容する蓄電池６３と、支柱部５２に抱持されＬＥＤ発光灯６１と蓄電池６３とを接続する給電線６４とからなる。なお、ＬＥＤ発光灯６１を保持部５３ではなく、支柱部５２の上端に備えても良い。また、蓄電池６３基板部５１上ではなく、背当部１に備えても良い。これにより、夜間における犬の散歩ですれ違う人に、犬の存在とその位置を知らせると共に足元を明るくして歩行の安全に寄与し得る。
なお、保持部５３、基板部５１又は背当部１のいずれかより上方に延びる発光灯支持部（図示しない）設けて、この発光灯支持部にＬＥＤ発光灯６１を備える構成でも良い。さらに、リボン等をＬＥＤ発光灯６１よりも上側又は下側に備えていることが好ましい。
また、支柱部５２自体にある程度の弾性があれば、コイル部分５２ａを設けなくても使用できる。
【符号の説明】
【００１９】
１００  リード保持具付き胴輪
１  背当部
２  前側バンド部
３  後側バンド部
Ｒ  リード
４  輪部
５  リード保持具
５１  基板部
５２  支柱部
５２ａ  コイル部分
５２ｂ  直線部分
５３  保持部
６  夜間照明手段
６１  ＬＥＤ発光灯
６２  電池ボックス
６４  給電線
【図１】
2014050355.tif 000003